(57)【特許請求の範囲】
【請求項１】
現在の時刻データを生成する時計回路手段と、圧力を検出して圧力に応じた圧力データを出力する圧力データ発生手段と、前記圧力データ発生手段から出力される圧力データを表示する表示手段と、前記圧力データ及び前記時刻データを記憶する記憶領域を複数有する記憶手段と、操作スイッチ手段と、前記操作スイッチ手段によるスイッチ操作がなされる毎に前記記憶手段の記憶領域に前記圧力データ発生手段から出力される圧力データを順次記憶させるとともに、前記圧力データを記憶した後一定時間内に、前記操作スイッチ手段によるスイッチ操作がなされると、前記時計回路手段で得られた時刻データを記憶させる記憶制御手段と、前記記憶手段の記憶領域に記憶された圧力データ及び時刻データを順次表示させる表示切替手段とを具備してなる電子式圧力測定装置。
【発明の詳細な説明】
【０００１】
【発明の属する技術分野】
本発明は水深、高度等を測定する電子式圧力測定装置に関する。
【０００２】
【従来の技術】
従来の電子腕時計に圧力センサを備え潜水時に水深を測定し表示したり、山登り時に高度を測定し表示するものがある。例えば特公平７−３３９６６号公報では、その機能の一つとして操作スイッチよりその地点の圧力データ、時刻情報を同時にメモしている。
【０００３】
【発明が解決しようとする課題】
しかしながら、特に登山のように長時間に渡り行動し圧力データ（高度データ）を収集する場合、例えば毎正時ごとに圧力データを定時記録する場合などは、時間データの記憶を必要としない。また、毎回すべての圧力データと時刻データをセットで記憶した場合は便利ではあるが、その記憶したポイントの重要性の違いに識別性を持たせるのが困難であり、別途メモを取る必要があった。また、圧力データとともに常に時間データを記憶する為、メモリ容量を多く必要とするなどの欠点があった。
【０００４】
本発明の目的は、上述のような欠点を解消しユーザにとって記憶したい情報をユーザが選択できるようにし、メモリを有効に使えるような電子式圧力測定装置を提供することである。
【０００５】
【課題を解決するための手段】
上記の目的を達成する為に本発明は、現在の時刻データを生成する時計回路手段と、圧力を検出して圧力に応じた圧力データを出力する圧力データ発生手段と、前記圧力データ発生手段から出力される圧力データを表示する表示手段と、前記圧力データ及び前記時刻データを記憶する記憶領域を複数有する記憶手段と、操作スイッチ手段と、前記操作スイッチ手段によるスイッチ操作がなされる毎に前記記憶手段の記憶領域に前記圧力データ発生手段から出力される圧力データを順次記憶させるとともに、前記圧力データを記憶した後一定時間内に、前記操作スイッチ手段によるスイッチ操作がなされると、前記時計回路手段で得られた時刻データを記憶させる記憶制御手段と、前記記憶手段の記憶領域に記憶された圧力データ及び時刻データを順次表示させる表示切替手段とを具備してなることを特徴としている。
【０００６】
【発明の実施の形態】
本発明の一実施形態を説明する。図１は本発明の一実施形態である高度計付電子時計を示す回路ブロック図である。図２は本発明の一実施形態である高度計付電子時計の表示の変遷を示す状態図である。
【０００７】
図１において、１は時刻データを生成する時計回路、２は圧力センサ等で検出した圧力データから高度データを演算して出力する高度計であり、本発明の圧力データ発生手段に相当する。３は時計回路１からの時刻データと高度計２からの高度データを記憶して出力端子Ｏからそのデータを出力するメモリであり、本発明の記憶手段に相当する。４はメモリ３のアドレスを制御するアドレスカウンタ、５は時計回路１からの時刻データと高度計２からの高度データを表示するとともに、メモリ３に記憶した時刻データと高度データを表示する表示装置であり、本発明の表示手段に相当する。
【０００８】
６は時計回路１からの時刻データと高度計２からの高度データとメモリ３に記憶した時刻データ、高度データを、後述する入出力切替スイッチ７で制御されるＴ型フリップフロップ８からの信号に従って、それぞれ切替えて出力端子Ｏから表示装置５へ出力する表示切替手段である。
【０００９】
７は入出力切替スイッチであり、入出力切替スイッチ７からの切替信号によりＴ型フリップフロップ（以下Ｔ−ＦＦと略記する）８のＱ出力とＱバー出力をそれぞれハイレベル信号（以下Ｈ信号と略記する）とローレベル信号（以下Ｌ信号と略記する）に切替制御している。Ｔ−ＦＦ８のＱ出力はＡＮＤゲート１８の一方の入力に接続するとともに、表示切替手段６に接続している。またＱバー出力はＡＮＤゲート１９の一方に接続するとともに、表示切替手段６に接続している。
【００１０】
９は本発明の操作スイッチ手段に相当するデータ入力スイッチであり、ワンショットパルス発生回路９ａを介してＡＮＤゲート１８の他方の入力に接続している。１０はデータ読み出しスイッチであり、ワンショットパルス発生回路１０ａを介してＡＮＤゲート１９の他方の入力に接続している。ＡＮＤゲート１８の出力はメモリ３の書込み端子Ｗ、アドレスカウンタ４の書込制御端子Ｂ、遅延回路１１、ＡＮＤゲート１７の一方の入力に接続されている。またＡＮＤゲート１９の出力はメモリ３の読み出し端子Ｒと、アドレスカウンタ４の読出制御端子Ｃに接続されている。アドレスカウンタ４は出力端子Ｏからメモリ３のアドレス端子Ａにアドレス信号を供給している。
【００１１】
１２はデータタイプのフリップフロップ（以下Ｄ−ＦＦと略記する）であり、Ｄ端子には常にＨ信号が接続しており、φ端子には遅延回路１１からの出力信号が接続されている。１３はタイマであり、Ｄ−ＦＦ１２の出力端子ＱからのＨ信号によりその動作を開始し、１０秒経過するとタイムアップ信号をＤ−ＦＦ１２のリセット端子Ｒに出力してＤ−ＦＦ１２をリセットする。
【００１２】
１５はＡＮＤゲートであり、一方の入力には高度計２からの高度データが入力されており、他方の入力にはＤ−ＦＦ１２の出力端子Ｑがインバータ１４を介して接続されている。１６はＡＮＤゲートであり、一方の入力には時計回路１からの時刻データが入力されており、他方の入力にはＤ−ＦＦ１２の出力端子Ｑが接続されている。１７はＡＮＤゲートであり、一方の入力にはＤ−ＦＦ１２の出力端子Ｑが接続され、他方の入力にはＡＮＤゲート１８の出力が接続されており、その出力はメモリ３の識別端子Ｅに接続されている。
【００１３】
２０はＯＲゲートであり、一方の入力にはＡＮＤゲート１５の出力が接続されており、他方の入力にはＡＮＤゲート１６の出力が接続されている。ＯＲゲート２０の出力はメモリ３のデータ端子Ｄに接続されており、この端子からメモリ３に時刻データと高度データが書込まれるように構成されている。なお、本実施形態では、アドレスカウンタ４、遅延回路１１、Ｄ−ＦＦ１２、タイマ１３、インバータ１４、ＡＮＤゲート１５、１６、１７、ＯＲゲート２０によって本発明の記憶制御手段が構成されている。
【００１４】
次に本実施形態の動作を説明する。まず高度データと時刻データを一組にしてメモリ３へ記憶する動作を説明する。最初に入出力切替スイッチ７を操作して入力モードにセットする。この時Ｔ−ＦＦ８のＱ出力はＨ信号を出力し、Ｑバー出力はＬ信号を出力する。これによりＡＮＤゲート１８の一方の入力にはＨ信号が入力され、ＡＮＤゲート１９の一方の入力にはＬ信号が入力され、さらに表示切替回路６はＴ−ＦＦ８からのＱ出力により、データ入力用の表示となる。
【００１５】
一方Ｄ−ＦＦ１２はリセット状態にあり、出力端子ＱはＬ信号を出力している。これにより、ＡＮＤゲート１６、１７の他方の入力にはＬ信号が入力され、ＡＮＤゲート１５の他方の入力にはインバータ１４を介してＨ信号が入力されている。従ってＡＮＤゲート１５は高度計２からの高度データを出力しており、ＯＲゲート２０を介してメモリ３のデータ端子３には高度データ２が供給されている。
【００１６】
次にこの状態でデータ入力スイッチ９を操作すると、ワンショットパルス発生回路９ａからワンパルスが出力され、そのワンパルスはＡＮＤゲート１８を介してメモリ３の書込み端子Ｗと、アドレスカウンタ４の書込制御端子Ｂと、遅延回路１１と、ＡＮＤゲート１７の一方の入力に供給される。この時アドレスカウンタ４は書込制御端子Ｂに入力したワンパルスに従って、メモリ３へデータを書き込むためのアドレスを指定するアドレス信号を出力端子Ｏからメモリ３のアドレス端子Ａへ出力する。一方、メモリ３はアドレス端子Ａに入力したアドレス信号に基づいてアドレスが指定されるとともに、書込み端子Ｗに入力したワンパルスに従って、データ端子Ｄに供給されている高度データを記憶する。  この時の表示状態は図２（ａ）である。図に示すごとくデータ表示部２１には記憶した高度データ（１６ｍ）と、記憶した順番を示すポインタ番号（１の表示）をそれぞれ表示している。
【００１７】
また図１に示すごとくこの時ＡＮＤゲート１７は他方の入力にワンパルスが供給されるが、前述の如くＤ−ＦＦ１２の出力端子ＱはＬ信号を出力しているので、ＡＮＤゲート１７からは信号は出力されない。
さらに遅延回路１１はＡＮＤゲート１８からのワンパルスに基づき、所定時間遅延した後からＤ−ＦＦ１２のφ端子にワンパルスを供給する。Ｄ−ＦＦ１２はφ端子に入力したワンパルスに従ってＤ端子からＨ信号を取り込み、出力端子ＱからＨ信号を出力する。従ってＡＮＤゲート１６の他方の入力とＡＮＤゲート１７の一方の入力にはＨ信号が供給され、ＡＮＤゲート１５の他方の入力にはインバータ１４を介してＬ信号が供給される。これによりＡＮＤゲート１５からの高度データ出力は停止され、代わりにＡＮＤゲート１６から時計回路１の時刻データが出力され、ＯＲゲート２０を介してメモリ３のデータ端子３には時刻データが供給される。またタイマ１３はＤ−ＦＦ１２の出力端子ＱからのＨ信号によりその動作を開始し、１０秒経過してタイムアップ信号を出力するまで動作する。
【００１８】
従って、タイマ３がタイムアップ信号を出力するまでの１０秒間に再度データ入力スイッチ９を操作すると、ワンショットパルス発生回路９ａからワンパルスが出力され、前述の高度データ記憶動作と同様の動作でその時の時刻データをメモリ３へ記憶することができる。但しこの場合、高度データの記憶と異なるのは、ＡＮＤゲート１７を介してワンパルスがメモリ３の識別端子Ｅに供給されることである。メモリ３は識別端子Ｅに入力したワンパルスに基づき、入力されたデータが時刻データであることを認識する。この場合、入力された時刻データが、その直前に入力された高度データと一組の関係にあることを示すために、図２（ｂ）に示すごとくデータ表示部２１には記憶した時刻データ（１２：００）と、直前に記憶した高度データの順番と同じ順番を示すポインタ番号（１の表示）をそれぞれ表示している。これにより、高度１６ｍに到達した時間が１２：００であることを記憶することができた。
【００１９】
次に高度データだけをメモリ３へ記憶する場合を説明する。この場合、前述の動作説明において高度データをメモリ３へ記憶した後、１０秒以上経過してから、所望の地点でデータ入力スイッチ９を操作すればよい。即ち、高度データをメモリ３へ記憶した後、１０秒間経過すれば、タイマ１３はタイムアップ信号を出力し、Ｄ−ＦＦ１２をリセット状態にセットするので、出力端子ＱはＬ信号を出力し、ＡＮＤゲート１５、ＯＲゲート２０を介してメモリ３のデータ端子Ｄに高度計２から高度データが供給される。従ってこの状態でデータ入力スイッチ９を操作すればメモリ３に再度高度データを記憶することができる。この時の表示状態を図２（ｃ）に示す。この場合は識別端子Ｅにワンパルスは供給されないので、データ表示部２１には記憶した高度データ（２０ｍ）と、新たなポインタ番号（２の表示）をそれぞれ表示している。
【００２０】
図４は、上述した動作でメモリ３に記憶された情報内容を表わす説明図である。図において、メモリ３にはデータを保持するデータ領域ＤＡと、そのデータの内容を識別するための識別領域ＥＡとが設けられている。アドレス１のデータ領域ＤＡには高度１６ｍを表わすデータが記憶され、識別領域ＥＡにはフラグ１が記憶されている。またアドレス２のデータ領域ＤＡには時間１２：００を表わすデータが記憶されるとともに、アドレス２の識別領域ＥＡには、アドレス２のデータ領域ＤＡに記憶したデータが時間であることを識別するためにフラグ１を記憶している。さらにアドレス３のデータ領域ＤＡには高度１６ｍを表わすデータが記憶され、識別領域ＥＡには何も記憶されていない。従って識別領域ＥＡの連続するフラグ１を見れば、記憶した最初のアドレスのデータが高度データであり、その次のデータが時間データであることを識別できる。また識別領域ＥＡには何も記憶されていないデータは高度データであり、時間データは記憶されていないことが認識できる。
【００２１】
次にメモリ３へ記憶したデータの読み出し動作について説明する。最初に入出力切替スイッチ７を操作して読み出しモードにセットする。この時Ｔ−ＦＦ８のＱ出力はＬ信号を出力し、Ｑバー出力はＨ信号を出力する。これによりＡＮＤゲート１８の一方の入力にはＬ信号が入力され、ＡＮＤゲート１９の一方の入力にはＨ信号が入力され、さらに表示切替回路６はＴ−ＦＦ８からのＱバー出力により、データ読み出し用の表示となる。
【００２２】
次にこの状態でデータ読み出しスイッチ１０を操作すると、ワンショットパルス発生回路１０ａからワンパルスが出力され、そのワンパルスはＡＮＤゲート１９を介してメモリ３の読出端子Ｒと、アドレスカウンタ４の読出制御端子Ｃに供給される。この時アドレスカウンタ４は読出制御端子Ｃに入力したワンパルスに従って、メモリ３へデータを読み出すためのアドレスを指定するアドレス信号を出力端子Ｏからメモリ３のアドレス端子Ａへ出力する。一方、メモリ３はアドレス端子Ａに入力したアドレス信号に基づいて読み出すアドレスを指定するとともに、読み出し端子Ｒに入力したワンパルスに従って、出力端子Ｏから指定されたアドレスのデータを出力する。
【００２３】
この時の表示状態は図３である。図に示すごとくデータ表示部２１にはデータ読み出しスイッチ１０を操作するたびに、記憶した順番にデータを表示する。図３の表示は、前述のデータ記憶動作で記憶したデータを、ポインタの順番に従って表示している。この時読み出したデータの識別領域ＥＡにフラグ１があると、図３（ａ）の如く先にポインタ１の時間データ“１２：００”を表示する。次にデータ読み出しスイッチ１０を操作すると、図３（ｂ）の如くその時間データの前に記憶されているポインタ１の高度データ“１６ｍ”を表示する。さらにデータ読み出しスイッチ１０を操作すると、次は識別領域ＥＡに何も書込まれていないので、図３（ｃ）の如くポインタ２の時間データとしては“−−：−−”を表示し、数秒間隔で高度データ“２０ｍ”を交互に表示する。従ってポインタ２のデータが高度データのみであることが認識できる。
【００２４】
【発明の効果】
以上のように本発明によれば、記憶情報として圧力データ（高度データ）は必ず記憶するが、時間データは必要なときだけ記憶できるようにしたので、時間を同時に記憶するか否かによって記憶した情報に対して重要性のメリハリをつけることができる。
また本発明によれば、時間データを記憶しない分だけ圧力データを多くメモリに記憶することができる。
【図面の簡単な説明】
【図１】本発明の一実施形態である高度計付電子時計を示す回路ブロック図である。
【図２】本発明の一実施形態である高度計付電子時計の表示の変遷を示す状態図である。
【図３】本発明の一実施形態である高度計付電子時計の表示の変遷を示す状態図である。
【図４】メモリ３に記憶された情報内容を表わす説明図である。
【符号の説明】
１  時計回路
２  高度計
３  メモリ
４  アドレスカウンタ
５  表示装置
６  表示切替手段
９  データ入力スイッチ
【図１】
0004199392.tif 000002
【図２】
0004199392.tif 000003
【図３】
0004199392.tif 000004
【図４】
0004199392.tif 000005